(57)【要約】【課題】種々の場所に置いて使用することができ、また、ペーパーの使用に際しては、片手で簡単に次々とペーパーを引出し、切断して使用することができるロールペーパーホルダーを提供する。【解決手段】下部にロールペーパー収納部１が設けられ、上部にペーパー引出し経路部２とペーパー切断刃３とが設けられたロールペーパーホルダーにおいて、ペーパー引出し経路部２はペーパー挿入口２ａからペーパー引出し口２ｂに向けて経路が漸次狭くなる台形状であって、ペーパー引出し口２ｂとペーパー切断刃３とは、少なくともペーパーをつかむために必要な広さの間隔を持って設けられていることを特徴とするロールペーパーホルダーを提供する。【選択図】図６
2010172397.tif 000002
【特許請求の範囲】
【請求項１】
下部にロールペーパー収納部が設けられ、上部にペーパー引出し経路部とペーパー切断刃とが設けられたロールペーパーホルダーにおいて、ペーパー引出し経路部はペーパー挿入口からペーパー引出し口に向けて経路が漸次狭くなる台形状であって、ペーパー引出し口とペーパー切断刃とは、少なくともペーパーをつかむために必要な広さの間隔を持って設けられていることを特徴とするロールペーパーホルダー。
【請求項２】
ペーパー引出し経路部の外側が開口されていることを特徴とする請求項１に記載のロールペーパーホルダー。
【請求項３】
ペーパー切断刃は、ペーパーを挿入可能とするために一端が開放され、他端が固定されているアーム状保護カバーと組み合わせて設けられていることを特徴とする請求項１もしくは２に記載のロールペーパーホルダー。
【請求項４】
ペーパー切断刃は、ペーパーのみを上方から下方へ挿入可能なペーパー切断ガイドの下端に設けられていることを特徴とする請求項１もしくは２に記載のロールペーパーホルダー。
【請求項５】
上部はロールペーパー収納部の開口蓋となっており、ペーパー引出し経路部とペーパー切断刃とが、該開口蓋の外側に設けられていることを特徴とする請求項１〜４のいずれかに記載のロールペーパーホルダー。
【発明の詳細な説明】
【技術分野】
【０００１】
本発明はトイレットペーパー、キッチンペーパー、ペーパータオルなどロール状に巻き取られたロールペーパーをセットし、ロールからペーパーを引出し、切断することのできるロールペーパーホルダーに関する。
【背景技術】
【０００２】
トイレットペーパーなどのロールペーパーは、ホルダーに収納して、ロールから必要分のペーパーを引出し、ホルダーに設置された切断刃にて切断して使用される。このような操作は、通常両手による操作を必要とするものが多い。さらに、ロールペーパーのセットには、ロールペーパーの芯にホルダーの軸を差し込む必要があった。しかし、障害者や高齢者のみならず、健常者でも片手のみでペーパーの引出し、切断する操作が容易にでき、ロールペーパーのセットも容易なロールペーパーホルダーが求められている。
【０００３】
また、種々のふき取りに広く用いられているティッシュペーパーは、折り畳まれてティッシュボックスに収納され、取り出し口より１組ずつ引出すことができ、１組取り出すと次の１組のつまみ代が取り出し口より飛び出し、次々と取り出すことが可能となっている。そして、このようなティッシュボックスは自由に色々な場所に置いて使用することができるが、トイレットペーパーやキッチンペーパーなどのロールペーパーホルダーはトイレやキッチンなど所定の場所に固定して用いるようになっているため、ティッシュボックスのような利便性に欠ける問題がある。
【０００４】
以上のような要望や問題に対処するために、これまでにも種々の場所に設置でき、操作が容易にできるロールペーパーホルダーが提案されている。例えば、特許文献１には２個の半円筒体同士の一方の端をヒンジによって連結して開閉自在とし、他方の端を開口部としてロールペーパー収納部を形成し、開口部に突設片を取り付けたホルダーが提案されている。このホルダーは、ロールペーパーの収納が容易にでき、さらに色々な場所に置いて使用することもできる。しかし、このホルダーではペーパー取り出し口である開口部の突設片ないしは突設片に設けた切断刃でペーパーを切断するために、切断後、次のペーパーのつかみ代の確保ができないため、引出す操作は容易ではない
【０００５】
また、特許文献２にはポット状の容器内にトイレットペーパーなどのロールペーパーを収納し、ポット上部の取り出し口よりペーパーを引出して使用するものが示されている。このペーパー容器はティッシュボックスと同様に、色々な場所に置いて使用することが可能ではある。しかし、ペーパーの取り出しは、ポットの取り出し口にてペーパーが絞り込まれているため、容易にペーパーを引出すことはできるが、つかみ代を残してペーパーの切断を片手で行うことは容易でない。
【先行技術文献】
【特許文献】
【０００６】
【特許文献１】特開２００７−４４３６１号公報
【特許文献２】意匠登録第１３２３４２３号公報
【発明の概要】
【発明が解決しようとする課題】
【０００７】
本発明は、種々の場所に置いて使用することができ、また、ペーパーの使用に際しては、片手で簡単に次々とペーパーを引出し、切断して使用することができるロールペーパーホルダーの提供を課題とする。
【課題を解決するための手段】
【０００８】
上記課題を克服するために本発明では、下部にロールペーパー収納部が設けられ、上部にペーパー引出し経路部とペーパー切断刃とが設けられたロールペーパーホルダーにおいて、ペーパー引出し経路部はペーパー挿入口からペーパー引出し口に向けて経路が漸次狭くなる台形状であって、ペーパー引出し口とペーパー切断刃とは、少なくともペーパーをつかむために必要な広さの間隔を持って設けられていることを特徴とするロールペーパーホルダーを提供する。
【０００９】
また本発明では、上記ロールペーパーホルダーにおいて、ペーパー引出し経路部の外側が開口されていることを特徴とするロールペーパーホルダーも提供する。
【００１０】
そして、ペーパー切断刃は、ペーパーを挿入可能とするために一端が開放され、他端が固定されているアーム状保護カバーと組み合わせて設けられていることを特徴とするロールシートホルダー、およびペーパー切断刃は、ペーパーのみを上方から下方へ挿入可能なペーパー切断ガイドの下端に設けられていることを特徴とするペーパーホルダーも提供する。
【００１１】
さらに、上部はロールペーパー収納部の開口蓋となっており、ペーパー引出し経路部とペーパー切断刃とが、該開口蓋の外側に設けられていることを特徴とするロールペーパーホルダーも提供する。
【発明の効果】
【００１２】
本発明のロールペーパーホルダーでは、ロールペーパーから引出したペーパーは、台形状のペーパー引出し経路部の作用によりペーパー引出し口においては絞り込まれた状態で引出される。そのため、ペーパーを指先でつかんで引出す際に、ペーパーが重なり合っており、トイレットペーパーのように薄くて破れ易いペーパーでも、破れることがなく確実に引出せる。さらに、切断に際しても、ペーパーが重なり合っており、まとめて一挙に切断することができる。そして、ペーパー切断刃とペーパー引出し口との間隔はペーパーをつかむのに必要な広さとなっているため、ペーパー切断後、ペーパー引出し口と切断刃の間隔に相当する次のペーパーのつかみ代分が保持されている。そのため、ペーパー切断後、片手操作でこのつかみ代をつかみ、必要な長さのシートを次々と引出し切断することができる。
【００１３】
さらに、本発明のロールペーパーホルダーは、ペーパーのつかみ代が次々に確保できるために、ロールペーパーを内部に収納し、箱体とすることができる。そのため、本発明のロールペーパーホルダーでは、箱の形状や装飾に種々のデザインが可能であり、トイレットペーパーを収納した場合でも、ティッシュペーパー代わりにリビングルームやオフィスなどに置いて使用することもできる。
【図面の簡単な説明】
【００１４】
【図１】本発明のロールペーパーホルダーの外観斜視図である。
【図２】開口蓋を開いた状態のロールペーパーホルダーの外観斜視図である。
【図３】ロールペーパーホルダーにロールペーパーを収納した状態を示す外観斜視図である。
【図４】図３におけるロールペーパーホルダーの断面図である。
【図５】ペーパー引出し口より、ペーパーを引出しセットした状態を示す外観斜視図である。
【図６】引出したペーパーを切断刃で切断している説明断面図である。
【図７】ロールペーパー引出し経路部により、ペーパーが絞り込まれることの説明図である。
【図８】ペーパー切断刃がアーム状保護カバー自体に取り付けられたロールペーパーホルダーの断面図である。
【図９】図８のロールペーパーホルダーで、引出したペーパーを切断刃で切断している説明断面図である。
【図１０】開口蓋が観音開きになっているロールペーパーホルダーの断面図である。
【図１１】ペーパー切断刃がペーパー切断ガイドに組み合わされているロールペーパーホルダーの外観斜視図である。
【発明を実施するための形態】
【００１５】
本発明の実施の形態につき、図を基に以下説明をする。図１〜４に示すロールペーパーホルダーは下部にロールペーパー収納部１が設けられ、ここにロールペーパーが収納される。収納部１の内部はロールペーパーが収納されればよく、とくにその形状は限定されないが、図２や図４に示すように半円筒状とし、収納したロールペーパーが安定できるように構成されていることが好ましい。図に示すロールペーパーホルダーの上部は開口蓋６として構成されており、開口蓋６は支持軸７に軸着されており開閉自在となっている。図１が開口蓋６を閉じた状態を示し、図２が開いた状態を示している。この開いた状態で、ロールペーパー１０を収納した状態を図３に示す。この場合、ロールペーパーの有芯、無芯に関係なく、開口蓋６を開き、ロールペーパー１０を収納部１に簡単に収納できる。
【００１６】
このペーパーホルダーでは、ペーパー引出し経路部２と切断刃３とが、この開口蓋６の外側に設けられている。ペーパー引出し経路部２はペーパー挿入口２ａからペーパー引出し口２ｂまでとなっており、挿入口２ａから引出し口２ｂに向けて、引出し経路部２は漸次狭くなり台形状となっている。また、引出し口２ｂと切断刃３との間隔の広さは、少なくとも指先でペーパーをつかむのに必要な広さとなっている。好ましい間隔の広さは２cm以上、より好ましくは５cm以上あることが望ましい。図５は収納部１にロールペーパー１０を収納し、このロールペーパーからペーパー１０ａを引出し、経路部２を経由して引出し口２ｂより引出しセットした状態を示している。
【００１７】
また、このロールペーパーホルダーでは、手先の切傷事故を防ぐために、切断刃３はアーム状保護カバー４の下方に組み合わされて設けられている。アーム状保護カバー４の一端は開放部５となっており、他端で固定されアーム状となっている。図６に示すように、下部の収納部１に収納されたペーパーロール１０から、引出し経路部２を経由して引出し口２ｂより、ペーパー１０ａを引き出し、開放部５からアーム状保護カバー４の中に挿入し、矢印Ａの方向に引っ張ることによりペーパー１０ａを切断することができる。ここで、引出し口２ｂと切断刃３とは前述のように適宜な間隔を持って設けられているため、切断後は図５に示されると同様な状態となり、ペーパー１０ａは次の引出しに必要なつかみ代を確保することができる。したがって、このつかみ代を利用して、片手操作で楽々と次々にペーパーを必要な長さだけ引き出し、切断することができる。
【００１８】
ペーパーの引出し操作において、ペーパー１０ａは引出し経路部２を経由することで、引出し口２ｂから絞り込まれた状態で引出される。図７にてその作用を説明すると、引出し経路部２の挿入口２ａの幅ａは引出し口２ｂの幅ｂより広く、台形状となっている。そのため、ペーパー１０ａを引出し経路部２を経由して引出すと、図７の右図に示すように、絞り込まれ重なった状態で引出される。このように絞り込まれ重なった状態で引出されたペーパーは、前述したようにつかみ易く、また操作中に破れ難くなると共に切断も確実にできる。また本発明において、引出し経路部２の形状が台形状とは、その形状は幾何学的台形のみに限られることなく、ペーパー挿入口２ａからペーパー引出し口２ｂにかけて、経路が漸次狭くなっており、ペーパーを絞り込む作用を示す形状であればよく、側面は直線だけでなく二次曲線状のものでもよく、お椀状やラッパ状などであってもよい。
【００１９】
さらに、図１や図２などに示すように引出し経路部２の外側は開口されていることが好ましい。外側が開口されていると、使用当初にロールペーパーを収納したり、ロールペーパーを交換したりした後、図５で示したような状態にペーパー１０ａを引出し経路部２にセットすることが容易にできるためである。この開口部の広さは、このような目的に使われるため、少なくとも指先を入れることができる広さが好ましく、さらに挿入口２ａから引出し口２ｂまで連続した開口部となっていることが操作を容易にするため、より好ましい。このような簡易操作の観点から、開口部は少なくとも２cm以上の幅を持って、挿入口２ａから引出し口２ｂまで連続していることが好ましい。さらに、図１などに示すように挿入口２ａ付近ではより広い幅を持たせておくことで、ペーパーの挿入操作をより容易にすることができる。
【００２０】
図８は切断刃３をアーム状保護カバー４の下方に組み合わせる形態として、切断刃３をアーム状保護カバー４に直接取り付けた形態を示すものである。この場合は、図９に示すように、ペーパー１０ａを矢印Ｃの方向である上方に引き上げることでペーパーを切断する。
【００２１】
切断刃３をアーム状保護カバー４と組み合わせるのではなく、ペーパー切断ガイド８と組み合わせた形態を示したのが図１１である。ペーパー切断ガイド８はペーパーのみを上方から下方へ挿入可能であり、下端に切断刃３が設けられている。ペーパー切断ガイド８はペーパーを上方から下方へ導くガイドとなっており、アーム状保護カバー４の下にペーパーを挿入する換わりに、ガイドの上方から下方に向けてペーパーを挿入し、下端に設けられている切断刃３によりペーパーを切断する。このガイドはペーパーのみを上方から下方へ挿入可能であるとは、ペーパーを切断刃まで到達するまで挿入することは可能であるが、指先などが切断刃まで到達しないように、少なくともガイドの幅の一箇所は指先より狭くなっており、指先などは挿入できないことを意味する。この最も狭い部分は指先が通らないように１．５cm以下、好ましくは１cm以下の幅であることが好ましい。図１１に示すように、切断刃３はペーパー切断ガイド８の下端に設けられ、この最も狭い部分より下方に設けられている。そのため、ペーパーは切断刃３まで到達できるが、指先などは切断刃３に触れることがない。
【００２２】
また図１１に示す形態では、ペーパー切断ガイド８の作用により、引出し経路部２から絞り込まれ重なった状態で引出されるペーパーはさらに絞り込まれているため、引出したペーパーを下方に向かって引っ張ることにより一気に切断することができる。
【００２３】
図１０は、開口蓋を二つに分け観音開きとしたロールペーパーホルダーの断面図であり、開口蓋６ａは引出し経路部２が設けられ、支持軸７ａに軸着され、開口蓋６ｂは切断刃３とアーム状保護カバー４とが設けられ、支持軸７ｂに軸着されており、それぞれ開閉可能となっている。図１０は開口蓋７ａおよび７ｂを開いた状態を示しているが、これらの開口蓋を閉じた状態では、図１〜６に示したロールペーパーホルダーと実質同じ構造となる。
【００２４】
以上説明した例では、すべて上部が開口蓋であり、この開口蓋にペーパー引出し経路部、切断刃および保護カバーを設けている。このように、上部を開口蓋で構成したものは、ロールペーパーの収納がしやすく便利である。しかし、上部を開口蓋としないで、経路部および切断刃をロール本体上部に固定し、側面にロールペーパーを出し入れできる開口部を設けるようにしてもよい。すなわち、図に示したロールペーパーホルダーにおいて、開口蓋が固定された形状をなし、左右いずれかの側面に、下部の収納部の内面および開口蓋の内面に沿って円形の開口部が設けられ、この開口部からロールペーパーを出し入れ可能としたものである。この場合、必要に応じて開口部に蓋を設けることができる。この形態のホルダーでも、側面から下部の収納部にロールペーパーを収納し、ペーパーを上部に固定したペーパー経路部を経由して、セットできる。このようにセットしたものは、図５に示したものと実質同じ形態となり、前述と同様に次々とペーパーの引出し、切断ができる。
【産業上の利用可能性】
【００２５】
以上説明したように、本発明のロールペーパーホルダーはトイレットペーパーやキッチンペーパーのホルダーとしてのみでなく、ティッシュボックスに替わる汎用ティッシュホルダーとして有用なホルダーである。また、本発明のホルダーは、トイレットペーパー、キッチンペーパー、ペーパータオル、ペーパーワイパーなどの紙製品をロールとしたものだけでなく、不織布製品にも応用可能である。
【符号の説明】
【００２６】
１    ロールペーパー収納部
２    ペーパー引出し経路部
２ａ  ペーパー挿入口
２ｂ  ペーパー引出し口
３    ペーパー切断刃
４    アーム状保護カバー
５    アーム開放部
６    開口蓋
６ａ  開口蓋
６ｂ  開口蓋
７    支持軸
７ａ  支持軸
７ｂ  支持軸
８    ペーパー切断ガイド
１０    ロールペーパー
１０ａ  引出したペーパー
Ａ    カット方向（下方）
Ｂ    ペーパー挿入方向
Ｃ    カット方向（上方）
ａ    ペーパー挿入口の幅寸法
ｂ    ペーパー引出し口の幅寸法
【図１】
2010172397.tif 000003
【図２】
2010172397.tif 000004
【図３】
2010172397.tif 000005
【図４】
2010172397.tif 000006
【図５】
2010172397.tif 000007
【図６】
2010172397.tif 000008
【図７】
2010172397.tif 000009
【図８】
2010172397.tif 000010
【図９】
2010172397.tif 000011
【図１０】
2010172397.tif 000012
【図１１】
2010172397.tif 000013